(57)【特許請求の範囲】
【請求項１】
プラグの栓刃が挿入される栓刃挿入孔からなるプラグ差込口が表面に複数露設された器体を有し、器体の内部に、各栓刃挿入孔から内部に挿入される栓刃を受ける刃受ばねと、器体の表面に露設された操作部のオン／オフ操作に応じて外部電源から刃受ばねへの通電をオン／オフする１つ以上のスイッチとを収納し、
前記器体は、矩形状の底面と、底面に対向する上面と、該上面の短手方向の側端部から器体の短手方向の側端部に向かって底面に近づくように傾斜している傾斜面とを備え、
前記栓刃挿入孔およびスイッチの操作部が、前記器体の上面および傾斜面に露設されており、
前記プラグ差込口は一対の栓刃挿入孔で構成され、前記器体の上面に露設して当該上面に露設した複数組の栓刃挿入孔に対応する刃受ばねへの通電をプラグ差込口毎に各々オン／オフする複数の第１のスイッチの操作部と、前記器体の傾斜面に露設して当該傾斜面に露設した全ての栓刃挿入孔に対応する刃受ばねへの通電をオン／オフする第２のスイッチの操作部とを備え、複数の第１のスイッチの操作部と、器体の上面に露設した全ての栓刃挿入孔に対応する刃受ばねと、器体の傾斜面に露設した栓刃挿入孔に対応する刃受ばねのうち対をなす一方の刃受けばねとを一体に形成したことを特徴とするスイッチ付きテーブルタップ。
【請求項２】
前記刃受ばねを、前記スイッチを構成する金属部品と一体形成したことを特徴とする請求項１記載のスイッチ付きテーブルタップ。
【請求項３】
前記器体の長手方向の一端において、器体の短手方向の一方の側に前記スイッチの１つを配置し、器体の短手方向の他方の側に外部電源に一端を接続した電源コードの他端を導入して電源コードの張力除去手段を設けたことを特徴とする請求項１または２記載のスイッチ付きテーブルタップ。
【請求項４】
前記各スイッチの操作部と、当該操作部によって通電をオン／オフされる刃受ばねに対応するプラグ差込口とを視覚的に関連付ける手段を前記器体に設けたことを特徴とする請求項１乃至３いずれか記載のスイッチ付きテーブルタップ。
【発明の詳細な説明】
【技術分野】
【０００１】
本発明は、スイッチ付きテーブルタップに関するものである。
【背景技術】
【０００２】
従来より、プラグの複数の栓刃がそれぞれ挿入される複数の栓刃挿入孔からなる複数のプラグ差込口が表面に露設された器体を有し、器体の内部に、各栓刃挿入孔から内部に挿入される栓刃をそれぞれ受ける複数の刃受ばねと、器体の表面に露設された操作部のオン／オフ操作に応じて外部電源から刃受ばねへの通電をオン／オフする１つ以上のスイッチとを収納したスイッチ付きテーブルタップが提供されている。（例えば、特許文献１参照）
例えば、図１４に示す従来のスイッチ付きテーブルタップは、矩形箱状の器体２００を備えて、器体２００の上面２００ａには、プラグの一対の栓刃がそれぞれ挿入される一対の栓刃挿入孔１２，１２からなるプラグ差込口１１を長手方向に３つ列設しており、また、各栓刃挿入孔１２から内部に挿入される栓刃を受ける刃受ばねへの通電をプラグ差込１１毎にオン／オフする各スイッチの操作部３０ｃを各プラグ差込口１１に対して短手方向の一方の側で長手方向に沿って３つ列設している。さらに、器体２００の側面２００ｂには、一対の栓刃挿入孔１５，１５からなるプラグ差込口１４が長手方向に３つ列設されており、また、各栓刃挿入孔１５から内部に挿入される栓刃を受ける刃受ばねへの通電を一括してオン／オフするスイッチの操作部６０ｃを３つのプラグ差込口１４に並んで長手方向の一端に配置している。
【０００３】
また、図１５に示す従来のスイッチ付きテーブルタップは、矩形箱状の器体３００を備えて、器体３００の上面３００ａには、一対の栓刃挿入孔１２，１２からなるプラグ差込口１１、および一対の栓刃挿入孔１５，１５からなるプラグ差込口１４を各々長手方向に３つづつ列設しており、また、各栓刃挿入孔１２から内部に挿入される栓刃を受ける刃受ばねへの通電をプラグ差込口１１毎にオン／オフする各スイッチの操作部３０ｃを各プラグ差込口１１に対して短手方向の一方の側で長手方向に沿って３つ列設し、さらには各栓刃挿入孔１５から内部に挿入される栓刃を受ける刃受ばねへの通電を一括してオン／オフするスイッチの操作部６０ｃを３つのプラグ差込口１４に並んで長手方向の一端に配置している。
【特許文献１】特開２００４−２２１０３５号公報
【発明の開示】
【発明が解決しようとする課題】
【０００４】
上記図１４に示す従来のスイッチ付きテーブルタップは、器体２００の側面２００ｂが上面２００ａに対して直交しており、側面２００ｂに配置されたプラグ差込口１４へのプラグの抜き差し、操作部６０ｃの操作がやり難かった。
【０００５】
また、上記図１５に示す従来のスイッチ付きテーブルタップは、器体３００の上面３００ａに全てのプラグ差込口１１，１４、操作部３０ｃ，６０ｃを配置しているので、プラグの抜き差しに必要なピッチを考慮して各プラグ差込口１１，１４，操作部３０ｃ，６０ｃの各間隔を設定すると、器体３００の外形が大きくなる。
【０００６】
本発明は、上記事由に鑑みてなされたものであり、その目的は、プラグ差込口へのプラグの抜き差し、スイッチの操作部の操作が容易で、且つコンパクトなスイッチ付きテーブルタップを提供することにある。
【課題を解決するための手段】
【０００７】
請求項１の発明は、プラグの栓刃が挿入される栓刃挿入孔からなるプラグ差込口が表面に複数露設された器体を有し、器体の内部に、各栓刃挿入孔から内部に挿入される栓刃を受ける刃受ばねと、器体の表面に露設された操作部のオン／オフ操作に応じて外部電源から刃受ばねへの通電をオン／オフする１つ以上のスイッチとを収納し、前記器体は、矩形状の底面と、底面に対向する上面と、該上面の短手方向の側端部から器体の短手方向の側端部に向かって底面に近づくように傾斜している傾斜面とを備え、前記栓刃挿入孔およびスイッチの操作部が、前記器体の上面および傾斜面に露設されており、前記プラグ差込口は一対の栓刃挿入孔で構成され、前記器体の上面に露設して当該上面に露設した複数組の栓刃挿入孔に対応する刃受ばねへの通電をプラグ差込口毎に各々オン／オフする複数の第１のスイッチの操作部と、前記器体の傾斜面に露設して当該傾斜面に露設した全ての栓刃挿入孔に対応する刃受ばねへの通電をオン／オフする第２のスイッチの操作部とを備え、複数の第１のスイッチの操作部と、器体の上面に露設した全ての栓刃挿入孔に対応する刃受ばねと、器体の傾斜面に露設した栓刃挿入孔に対応する刃受ばねのうち対をなす一方の刃受けばねとを一体に形成したことを特徴とする。
【０００８】
この発明によれば、器体の上面および傾斜面に栓刃挿入孔およびスイッチの操作部を露設したので、側面に栓刃挿入孔およびスイッチの操作部を露設する場合に比べてプラグ差込口へのプラグの抜き差し、スイッチの操作部の操作が容易となり、さらには上面にのみ栓刃挿入孔およびスイッチの操作部を露設する場合に比べてコンパクトに構成することができる。また、複数の部品を一体に形成することで、組み立てに要する工数が削減でき、コストダウンを図ることができる。また、器体の傾斜面に露設した全てのプラグ差込口の通電を一括してオン／オフすることで、個別にオン／オフする手間が省けて、使い勝手が向上する。
【０００９】
請求項２の発明は、請求項１において、前記刃受ばねを、前記スイッチを構成する金属部品と一体形成したことを特徴とする。
【００１０】
この発明によれば、刃受ばねとスイッチを構成する金属部品とを別体に構成した場合に比べて、部品の接続箇所が少なくなり、さらには部品点数を削減することができる。
【００１１】
請求項３の発明は、請求項１または２において、前記器体の長手方向の一端において、器体の短手方向の一方の側に前記スイッチの１つを配置し、器体の短手方向の他方の側に外部電源に一端を接続した電源コードの他端を導入して電源コードの張力除去手段を設けたことを特徴とする。
【００１２】
この発明によれば、スイッチの配置に必要なスペースを利用して電源コードの張力除去手段を設けることで、コンパクト化を図ることができる。
【００１３】
請求項４の発明は、請求項１乃至３いずれかにおいて、前記各スイッチの操作部と、当該操作部によって通電をオン／オフされる刃受ばねに対応するプラグ差込口とを視覚的に関連付ける手段を前記器体に設けたことを特徴とする。
【００１４】
この発明によれば、連動する操作部、コンセントが判り易くなり、使い勝手が向上する。
【発明の効果】
【００１５】
以上説明したように、本発明では、プラグ差込口へのプラグの抜き差し、スイッチの操作部の操作が容易で、且つコンパクト化を図ることができるという効果がある。
【発明を実施するための最良の形態】
【００１６】
以下、本発明の実施の形態を図面に基づいて説明する。
【００１７】
（実施形態１）
以下に本発明の実施形態を図１乃至図５を参照して説明する。
【００１８】
本実施形態のスイッチ付きテーブルタップは、図１，図２に示すように、耐衝撃性を有する合成樹脂によりそれぞれ形成されたボディ２およびカバー３からなる器体１を有し、器体１の内部には、中ボディ５および中カバー６からなる中ケース４と、スイッチ・コンセントブロック２０と、コンセントブロック５０と、スイッチ６０と、リード線７０，７１とが納装されている。
【００１９】
ボディ２は上面が開口した矩形箱状に形成され、ボディ２の長手方向一端側の側壁２ａには、カバー３と接合する周縁部に後述の電源コード９０を器体１内に導入するための凹部２ｂが形成されている。
【００２０】
一方、カバー３は底面が開口した略矩形箱状に形成されており、器体１の短手方向の幅よりも狭い上面３ａを設け、上面３ａの短手方向の一方の側端部は長手方向に沿って形成された側面３ｂに連続している。そして、上面３ａの短手方向の他方の側端部から器体１の短手方向の側端部に向かってボディ２の底面に近づくように傾斜している傾斜面３ｄが長手方向に沿って形成され、傾斜面３ｄは、側面３ｂに対向して長手方向に沿って形成された側面３ｃに連続している。また、カバー３の長手方向一端側の側壁３ｆには、ボディ２と接合する周縁部に電源コード９０を器体１内に導入するための凹部３ｇ（図５参照）が形成されており、凹部２ｂ，３ｇで電源コード９０を器体１内に導入する電線挿入口を構成している。
【００２１】
中ボディ５は、上面が開口した矩形箱状に形成され、その短手方向の一方の側面には長手方向に沿って切り欠き部５ａを形成している。また、中ボディ５の長手方向一端側の側壁５ｂには、中カバー６と接合する周縁部に後述の導電板５１を中ケース４内に導入するための凹部５ｃが形成されている。
【００２２】
中カバー６は、底面が開口した矩形箱状に形成されて、中ケース４の短手方向の幅よりも狭い上面６ａを設け、上面６ａの短手方向の一方の側端部は長手方向に沿って形成された側面６ｂに連続している。そして、上面６ａの短手方向の他方の側端部から中ケース４の短手方向の側端部に向かって中ボディ５の底面に近づくように傾斜している傾斜面６ｄが長手方向に沿って形成され、傾斜面６ｄは、側面６ｂに対向して長手方向に沿って形成された側面６ｃに連続している。そして、上面６ａには、プラグの一対の栓刃がそれぞれ挿入される一対の栓刃挿入孔１２，１２からなるプラグ差込口１１が３つ長手方向に列設されており、各プラグ差込口１１は、上面６ａの長手方向に３つ列設された矩形状の突台１３に各々形成される。さらに傾斜面６ｄにも、一対の栓刃挿入孔１５，１５からなるプラグ差込口１４が３つ長手方向に列設されており、３つのプラグ差込口１４は、傾斜面６ｄの長手方向に沿って１つ設けた突台１６に形成される。また、側面６ｂの中ボディ５と接合する周縁部には、中ボディ５の切り欠き部５ａに対応して長手方向に沿った切り欠き部（図示せず）を形成しており、中ケース４として組み立てたときにこれらの切り欠き部で長手方向に沿った孔を一側面に構成する。
【００２３】
スイッチ・コンセントブロック２０は、図３（ａ）〜（ｃ），図４に示すように、長尺の板金を曲げ加工して形成される導電板２１，２２を備え、その長手方向が器体１の長手方向に沿うようにして器体１内部に収納される。そして、導電板２１，２２には、３つのスイッチ３０が長手方向に並べて取り付けられる。スイッチ３０の器体３０ａは上面を開口した矩形箱状に形成されており、器体３０ａ内に接点部（図示せず）を収納している。そして、器体３０ａの長手方向に沿って形成した２列の挿通孔３０ｇ，３０ｇに導電板２１，２２を挿入することで、器体３０ａに導電板２１，２２が取り付けられる。また、器体３０ａの両側面には軸孔３０ｂが穿設され、軸孔３０ｂにスイッチ操作部３０ｃの両側に設けた凸部３０ｄが軸支されて、器体３０ａの上面にはスイッチ操作部３０ｃが揺動自在に取り付けられている。各器体３０ａ内の接点部はスイッチ操作部３０ｃの揺動操作に応じてオン／オフする。
【００２４】
また、各栓刃挿入孔１２から挿入されるプラグの栓刃を受けるための一対の刃受けばね４０，４０がスイッチ・コンセントブロック２０の短手方向における一側に突出して３組設けられる。さらに、一対の刃受けばね４０，４０のうち、一方の刃受けばね４０には、一対の栓刃挿入孔１５のうち一方の栓刃挿入孔１５から挿入されるプラグの栓刃を受けるための刃受けばね４１が延設片４２を介して一体に設けられる。これらの刃受けばね４０，４１は、中ボディ５、中カバー６の上記切り欠き部によって中ケース４の一側面に設けた孔を挿通して中ケース４内に収納される。そして、各刃受けばね４０は中カバー６の上面６ａに設けた栓刃挿入孔１２に各々対向して、各栓刃挿入孔１２から内部に挿入される栓刃を受ける。また、延設片４２は中カバー６の傾斜面６ｄに沿うように形成されており、各刃受けばね４１は、中カバー６の傾斜面６ｄに設けた一対の栓刃挿入孔１５，１５のうち一方の栓刃挿入孔１５に対向して、該一方の栓刃挿入孔１５から内部に挿入される栓刃を受ける。
【００２５】
そして、延設片４２を介して一体に形成された一方の刃受けばね４０，４１は、保持片４３を介して導電板２１に接続され、他方の刃受けばね４０は、保持片４４を介してスイッチ３０の接点部の一端に接続した端子板３０ｅに接続され、接点部の他端は接続端子２２ｂを介して導電板２２に接続される。また、導電板２１の接続端子２１ｂはスイッチ操作部３０ｃ内に収納され負荷への給電時に点灯するネオンランプ（図示せず）を介して接続端子２２ｂに電気的に接続されている。ここで、他方の刃受けばね４０は、保持片４４を介してスイッチ３０の端子板３０ｅに一体に形成されており、刃受けばね４０とスイッチ３０を構成する金属部品とを一体形成することで、かしめ等の接続箇所を低減している。
【００２６】
また、導電板２１，２２の電線挿入口側の一端部にはかしめ圧着部２１ａ，２２ａがそれぞれ設けられ、かしめ圧着部２１ａ，２２ａに電源コード９０の芯線９１，９１の一方の端部をそれぞれ挿入してかしめることにより、芯線９１，９１と導電板２１，２２とをそれぞれ電気的且つ機械的に接続することができる。また、電源コード９０の芯線９１，９１の他方の端部には外部電源に接続するためのプラグ（図示せず）が結線されている。
【００２７】
このようなスイッチ・コンセントブロック２０は、スイッチ３０と、一対の刃受ばね４０，４０と、対をなす一方の刃受けばね４１とを一体に形成したものであり、各部品を別々に構成する場合に比べて組み立てに要する工数が削減でき、コストダウンを図ることができる。
【００２８】
コンセントブロック５０は、図１に示すように、長尺の板金を曲げ加工して形成される導電板５１を備え、その長手方向が中ケース４の長手方向に沿うようにして中ボディ５の凹部５ｃを挿通して中ケース４内に収納される。そして、導電板５１には、上方に突設した矩形状の突片５１ａが長手方向に複数形成され、一対の栓刃挿入孔１５のうち他方の栓刃挿入孔１５から挿入されるプラグの栓刃を受けるための刃受けばね４１が、上下方向に湾曲した保持片５２を介して突片５１ａに取り付けられており、３つの刃受けばね４１が導電板５１の長手方向に列設される。これらの刃受けばね４１は、中カバー６の傾斜面６ｄに設けた一対の栓刃挿入孔１５，１５のうち他方の栓刃挿入孔１５に対向して、該他方の栓刃挿入孔１５から挿入されるプラグの栓刃を受ける。
【００２９】
上記のように、スイッチ・コンセントブロック２０，およびスイッチ・コンセントブロック２０の刃受けばね４０，４１，コンセントブロック５０を収納した中ケース４は、器体１内に納装され、３つのスイッチ３０は、器体１の短手方向の一方の側面に沿って配置され、中ケース４は、器体１の短手方向の他方の側面に沿って配置される。このとき、３つのスイッチ３０の間には、ボディ２の内底面に立設したリブ２ｅが導電板２１，２２間を挿通する。
【００３０】
次に、スイッチ６０は、図１に示すように、器体６０ａが上面を開口した矩形箱状に形成されて、器体６０ａ内に接点部（図示せず）を収納している。また、スイッチ３０と同様に、器体６０ａの上面にはスイッチ操作部６０ｃが揺動自在に取り付けられている。各器体６０ａ内の接点部はスイッチ操作部６０ｃの揺動操作に応じてオン／オフする。そして、ボディ２の長手方向一端側の側壁２ａ近傍には、カバー３の傾斜面３ｄに沿って傾斜した矩形状の開口を有するリブ２ｃ，２ｄが長手方向に並んで配置されており、このリブ２ｃ，２ｄ上にスイッチ６０を載置する。
【００３１】
そして、器体６０ａの短手方向の一方の側面から導出された接続端子６０ｅにコンセントブロック５０の導電板５１の一端部に設けたかしめ部５１ａをかしめ鋲８０で接続する。また、器体６０ａの長手方向の一端面から導出した鉤形の接続端子６０ｆは、スイッチ６０の接点部の一端に接続され、接点部の他端は接続端子６０ｅ，導電板５１を介して他方の刃受けばね４１に接続される。この接続端子６０ｆには、図５（ａ）〜（ｃ）（図５（ａ）は、図５（ｂ）のＡ−Ａ断面、図５（ｃ）中の破断部分は図５（ｂ）のＢ−Ｂ断面を各々示す）に示すように、リード線７０の一端に設けた環状の接続部７０ａが接続し、リード線７０の他端に設けた接続端子７０ｂは、導電板２２に設けた接続端子２２ｃにかしめ鋲８１で接続する。また、器体６０ａの長手方向の一端面から導出した鉤形の接続端子６０ｇは、スイッチ操作部６０ｃ内に収納され負荷への給電時に点灯するネオンランプ（図示せず）を介して接続端子６０ｆに電気的に接続されており、この接続端子６０ｇには、リード線７１の一端に設けた環状の接続部７１ａが接続し、リード線７１の他端に設けた環状の接続部７１ｂは、導電板２１に設けた鉤形の接続端子２１ｃに接続する。
【００３２】
そして、中カバー６の傾斜面６ｄがカバー３の傾斜面３ｄに対向するように、ボディ２の上面にカバー３を覆設して、器体１内に中ケース４、スイッチ・コンセントブロック２０、コンセントブロック５０、スイッチ６０が納装される。そして、カバー３の上面３ａの短手方向の一方の側端部には側面３ｂ側を開放した３つの矩形状の凹部３ｈが長手方向に並んで形成され、各凹部３ｈに設けた矩形状の露出窓３ｉに各スイッチ操作部３０ｃが装通し、スイッチ３０の器体３０ｃの上端が露出窓３ｉの周縁部に内側から当接する。また、カバー３の上面３ａの短手方向の他方側には、３つの露出窓３ｊが長手方向に並んで形成され、中カバー６の上面６ａに設けた３つの突台１３が露出窓３ｊに各々嵌合して、一対の栓刃挿入孔１２，１２が各露出窓３ｊから上方へ露出している。
【００３３】
また、カバー３の傾斜面３ｄには長手方向に沿って１つの矩形状の露出窓３ｋが形成され、中カバー６の傾斜面６ｄに設けた１つの突台１６が露出窓３ｋに嵌合して、３組の栓刃挿入孔１５が露出窓３ｋから斜め上方へ露出している。また、カバー３の傾斜面３ｄの長手方向一端側（側壁３ｆ側）には、露出窓３ｋと長手方向に並んで１つの露出窓３ｍが形成され、露出窓３ｍにスイッチ６０のスイッチ操作部６０ｃが装通し、スイッチ６０の器体６０ｃの上端が露出窓３ｍの周縁部に内側から当接する。また、カバー３の上面３ａには、露出窓３ｉと露出窓３ｊとの間の部位に細長のラベル貼付用凹所３ｗがそれぞれ形成され、カバー３の側面３ｃの上端には、露出窓３ｋの長手方向に沿って細長のラベル貼付用凹所３ｘが３つ形成されている。
【００３４】
そして、器体１は、ボディ２の開口端に設けた係止爪２ｈがカバー３の開口縁に係止して、組立ねじ８２をボディ２に底面に設けた円柱状のリブ２ｆの軸方向に各々形成した挿通孔２ｇに下方向から挿通し、カバー３の内面に設けた円柱状のリブ３ｐの軸方向に各々形成したねじ孔３ｑに螺合させることで構成される。なお、中ボディ５の底面に設けた挿通孔５ｄ（図５（ａ）参照）は、ボディ２のリブ２ｆを挿通させるためのものであり、中カバー６の上面６ａに設けられた孔６ｅは、カバー３のリブ３ｐを挿通させるためのものである。
【００３５】
上記のように構成されたスイッチ付きテーブルタップでは、各スイッチ操作部３０ｃを揺動操作して各スイッチ３０の接点部をオン／オフすることで、各スイッチ３０に接続されている一対の刃受ばね４０，４０の通電を各々オン／オフして、プラグ差込口１１毎に通電をオン／オフする。さらに、スイッチ操作部６０ｃを揺動操作してスイッチ６０の接点部をオン／オフすることで、３組の刃受ばね４１，４１の通電を一括してオン／オフして、３つのプラグ差込口１４の通電を一括してオン／オフする。そして、３つのプラグ差込口１４および１つのスイッチ操作部６０ｃを器体１の傾斜面３ｄに露設したので、図１４に示すように側面に栓刃挿入孔およびスイッチ操作部を露設する場合に比べてプラグ差込口へのプラグの抜き差し、スイッチ操作部の操作が容易となり、さらには図１５に示すように上面にのみ栓刃挿入孔およびスイッチ操作部を露設する場合に比べてコンパクトに構成することができる。
【００３６】
また、連動するスイッチ操作部、プラグ差込口を判り易くするため、上面３ａについては、３つの凹部３ｈに各々設けた露出窓３ｉに各スイッチ操作部３０ｃを別々に露設し、各スイッチ操作部３０ｃの一側に連動するプラグ差込口１１，１１，１１を露設することで、連動するスイッチ操作部、プラグ差込口毎に独立したデザインとしている。さらに、傾斜面３ｄについては、３個一括連動のスイッチ操作部６０ｃとプラグ差込口１４，１４，１４とを傾斜面３ｄの露出窓３ｋに露設して、露出窓３ｋの長手方向の一端を線１００で露出窓３ｍの周縁部に接続している。したがって、連動するスイッチ操作部、プラグ差込口が判り易く、使い勝手がよいものとなる。
【００３７】
また、図６（図５（ｂ）中のＣ部の拡大斜視図）に示すように、カバー３の開口周縁部において、側面３ｃの内面には、長手方向に沿って矩形状の凸片３ｒが立設され、凸片３ｒの先端には上下方向に突出した係止部３ｓが形成されている。また、凸片３ｒの下面において長手方向の略中央には、側面３ｃの内面から上方向に向かって傾斜した三角状のリブ３ｔが形成されている。そして、この凸片３ｒは、中ボディ５，中カバー６が互いに接合する周縁部に当接し、図７（図５（ｃ）中のＤ部の拡大図）に示すように、凸片３ｒが当接する中ボディ５，中カバー６の周縁部間には隙間が形成されるとともに、中ボディ５，中カバー６の各周縁部の内面には側端部に向かって外面に近付く傾斜面５ｅ，６ｆが形成される。さらに、中ボディ５の周縁部で凸片３ｒのリブ３ｔに対向する部位には切り欠き部５ｆが形成される。そして、カバー３の凸片３ｒが中ボディ５，中カバー６の周縁部に設けた隙間に挿通し、凸片３ｒの係止部３ｓが中ボディ５，中カバー６の傾斜面５ｅ，６ｆに係止することで、カバー３が中ボディ５，中カバー６に取り付けられる、所謂スナップ構造を構成しており、カバー３の浮き上がりを防止している。また、カバー３の開口端はその内面側に凹部３ｕを形成し、ボディ２の開口端はその内面側に凸部２ｉを形成しており、凸部２ｉが凹部３ｕに嵌め込まれる。
【００３８】
また、電源コード９０には、弾性を有する合成樹脂から形成され、電源コード９０の外周を覆って屈曲による芯線９１の断線を防止するブッシング９２が設けられており、このブッシング９２には矩形板状の鍔部９３が一体に設けられている。また、ボディ２の底面からは側壁２ａとの間に鍔部９３の厚み分だけの隙間をあけてリブ２ｊが突設され、カバー３の裏面からはリブ２ｊに対向する部位にリブ３ｖ（図５参照）が突設されており、ブッシング９２に設けた鍔部９３の下半分を側壁２ａとリブ２ｊとの間の隙間に挿入した状態で、ボディ２とカバー３とを結合すると、鍔部９３の上半分が側壁３ｆとリブ３ｖとの間に挿入され、器体１に固定される。この時、器体１から引き出される電源コード９０の部位がブッシング９２によって保護され、屈曲による芯線９１の断線が防止されるのである。ここで、本実施形態では、スイッチ６０を、器体１の長手方向一端側で側面３ｃ側に偏倚して配置し、且つ器体６０ａの長手方向が器体１の側面３ｃに沿うよう配置しているため、器体１の長手方向一端側で側面３ｂ側のスペースが空いている。したがって、この空いたスペースを利用して電源コード９０のブッシング９２を器体１に配置することで、コンパクトに構成することができる。
【００３９】
また、ボディ２の凹部２ｂとカバー３の凹部３ｇとで形成される電源コード９０の引出口を、器体１の長手方向一端側で側面３ｂ側に偏倚して設けたので、図８に示すように、壁面Ｗと家具Ｆとの隙間に電源コード９０を這わせて、器体１の長手方向が壁面Ｗに沿うように、且つ基体１の短手方向が家具Ｗに沿うように配置することができ、設置時の収まりが良くなる。
【００４０】
（実施形態２）
本実施形態のスイッチ付きテーブルタップは、図９に示すように、実施形態１のカバー３の上面３ａにおいて、矩形状の凹部３ｈの傾斜面３ｄ側の長辺両端部から各露出窓３ｊを囲む線１０１を設けることで、各スイッチ操作部３０ｃと当該スイッチ操作部３０ｃに連動するプラグ差込口１１とが明確になる。さらに、カバー３の傾斜面３ｄにおいて、矩形状の露出窓３ｋのスイッチ操作部６０ｃ側の短辺両端部から露出窓３ｍを囲む線１０２を設けることで、スイッチ操作部６０ｃが３つのプラグ差込口１４に連動していることが明確になる。したがって、連動するスイッチ操作部、プラグ差込口がさらに判り易くなり、使い勝手がよいものとなっている。
【００４１】
なお、実施形態１と同様の構成には同一の符号を付して説明は省略する。
【００４２】
（実施形態３）
本実施形態のスイッチ付きテーブルタップは、図１０に示すように、実施形態１の中カバー６において、プラグ差込口１１を各々設けた３つの突台１３を色１１０で着色し、３つのプラグ差込口１４を設けた突台１６を突台１３とは異なる色１１１で着色することで、連動するスイッチ操作部、プラグ差込口がさらに判り易くなり、使い勝手がよいものとなっている。
【００４３】
なお、実施形態１と同様の構成には同一の符号を付して説明は省略する。
【００４４】
（参考例１）
本参考例のスイッチ付きテーブルタップは、図１１に示すように、実施形態１のスイッチ６０を削除し、各スイッチ操作部３０ｃで、プラグ差込口１１だけでなく、プラグ差込口１４の通電もオン／オフするもので、中カバー６の上面６ａから傾斜面６ｄに亘って形成される矩形状の突台１７が中ケース４の長手方向に３つ列設され、各突台１７において上面６ａ側にはプラグ差込口１１が形成されて、傾斜面６ｄ側にはプラグ差込口１４が形成される。そして、カバー３の上面３ａから傾斜面３ｄに亘って形成される露出窓３ｙが、器体１の長手方向に３つ列設され、各露出窓３ｙには各突台１７が嵌合して１組のプラグ差込口１１，１４が各々露出する。すなわち、連動するスイッチ操作部３０ｃとプラグ差込口１１，１４とが器体１の短手方向に並んで配置されており、連動するスイッチ操作部、プラグ差込口が判り易く、使い勝手がよいものになる。
【００４５】
なお、実施形態１と同様の構成には同一の符号を付して説明は省略する。
【００４６】
（参考例２）
本参考例のスイッチ付きテーブルタップは、図１２に示すように、実施形態１のスイッチ６０を削除して、３つのプラグ差込口１４は常時通電状態としたものである。
【００４７】
なお、実施形態１と同様の構成には同一の符号を付して説明は省略する。
【００４８】
（参考例３）
本参考例のスイッチ付きテーブルタップは、図１３に示すように、耐衝撃性を有する合成樹脂によりそれぞれ形成されたボディ１２２およびカバー１２３からなる器体１２１を有し、器体１２１の内部には、一対の栓刃挿入孔１２からなるプラグ差込口１１を６つ備えた中ケースと、各栓刃挿入孔１２から内部に挿入される栓刃を受ける刃受ばねと、器体１２１の表面に露設されたスイッチ操作部３０ｃのオン／オフ操作に応じて外部電源から一対の刃受ばねへの通電を各々オン／オフする６つのスイッチ等が納装されており、各スイッチ操作部３０ｃは１つのプラグ差込口１１に連動している。
【００４９】
ボディ１２２は上面が開口した矩形箱状に形成される。一方、カバー１２３は底面が開口した略矩形箱状に形成されており、器体１２１の短手方向の幅よりも狭い上面１２３ａを設け、上面１２３ａの短手方向の両側端部から器体１２１の短手方向の両側端部に向かってボディ１２２の底面に近づくように傾斜している傾斜面１２３ｂ，１２３ｃが長手方向に沿って各々形成され、傾斜面１２３ｂ，１２３ｃの短手方向の一方の各側端部は長手方向に沿って形成された側面１２３ｄ，１２３ｅに各々連続している。
【００５０】
また、電源コード９０は、器体１２１の長手方向一端側の側壁略中央に導入される。
【００５１】
そして、カバー１２３の上面１２３ａには長手方向に３つ列設した矩形状の露出窓１２３ｆが２列形成され、一対の栓刃挿入孔１２，１２が各露出窓１２３ｆから上方へ露出している。また、カバー１２３の傾斜面１２３ｂ，１２３ｃには長手方向に沿って３つの矩形状の露出窓１２３ｇが各々列設され、各露出窓１２３ｇに１つのスイッチ操作部３０ｃが装通している。各スイッチ操作部３０ｃは、上面１２３ａ側に対向する各プラグ差込口１１に連動している。
【００５２】
本参考例では、６つのプラグ差込口１１を器体１２１の両側に設けた傾斜面１２３ｂ，１２３ｃに露設したので、実施形態１と同様に、図１４に示すように側面に栓刃挿入孔およびスイッチの操作部を露設する場合に比べてプラグ差込口へのプラグの抜き差し、スイッチ操作部の操作が容易となり、さらには図１５に示すように上面にのみ栓刃挿入孔およびスイッチの操作部を露設する場合に比べてコンパクトに構成することができる。
【００５３】
なお、実施形態１と同様の構成には同一の符号を付して説明は省略する。
【図面の簡単な説明】
【００５４】
【図１】本発明の実施形態１のスイッチ付きテーブルタップを示す分解斜視図である。
【図２】（ａ）〜（ｄ）同上のスイッチ付きテーブルタップを示し、（ａ）は一方から見た側面図、（ｂ）は上面図、（ｃ）は他方から見た側面図、（ｄ）は端面図である。
【図３】（ａ）〜（ｃ）同上のスイッチ・コンセントブロックを示し、（ａ）は上面図、（ｂ）は側面図、（ｃ）は端面図である。
【図４】同上の刃受けばね、導電板を示す平面図である。
【図５】（ａ）〜（ｃ）同上のスイッチ付きテーブルタップを示し、（ａ）は側面断面図、（ｂ）はボディを外した状態での一部破断した下面図、（ｃ）は一部破断した端面図である。
【図６】図５（ｂ）中のＣ部の拡大斜視図である。
【図７】図５（ｃ）中のＤ部の拡大図である。
【図８】同上のスイッチ付きテーブルタップの設置例を示す平面図である。
【図９】本発明の実施形態２のスイッチ付きテーブルタップを示す平面図である。
【図１０】本発明の実施形態３のスイッチ付きテーブルタップを示す平面図である。
【図１１】本発明の参考例１のスイッチ付きテーブルタップを示す平面図である。
【図１２】本発明の参考例２のスイッチ付きテーブルタップを示す平面図である。
【図１３】（ａ）〜（ｃ）本発明の参考例３のスイッチ付きテーブルタップを示し、（ａ）は上面図、（ｂ）は側面図、（ｃ）は端面図である。
【図１４】従来のスイッチ付きテーブルタップを示す斜視図である。
【図１５】従来のスイッチ付きテーブルタップを示す斜視図である。
【符号の説明】
【００５５】
１  器体
２  ボディ
３  カバー
３ａ  上面
３ｄ  傾斜面
１１，１４  プラグ差込口
１２，１５  栓刃挿入孔
３０，６０  スイッチ
３０ｃ，６０ｃ  スイッチ操作部
４０，４１  刃受ばね
【図１】
0004525552.tif 000002
【図２】
0004525552.tif 000003
【図３】
0004525552.tif 000004
【図４】
0004525552.tif 000005
【図５】
0004525552.tif 000006
【図６】
0004525552.tif 000007
【図７】
0004525552.tif 000008
【図８】
0004525552.tif 000009
【図９】
0004525552.tif 000010
【図１０】
0004525552.tif 000011
【図１１】
0004525552.tif 000012
【図１２】
0004525552.tif 000013
【図１３】
0004525552.tif 000014
【図１４】
0004525552.tif 000015
【図１５】
0004525552.tif 000016